【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
両端が固定されて張られた少なくとも一本の弦と、この少なくとも一本の弦の少なくとも一端を固定し第１の素材にて構成された固定装置とを具備した弦楽器の音響特性改善方法であって、
前記固定装置と弦との間に、弦を弾いた際に発生する可聴周波数域の音波に関する伝導性および吸収性が前記第１の素材より低い第２の素材にて構成された要素を取り付けて、この要素で前記弦を被覆して、この弦を前記固定装置から離間する
ことを特徴とする弦楽器の音響特性改善方法。
【請求項２】
第１の素材は、金属で、
第２の素材は、セラミック材料、プラスチック材料、ガラス材料およびこれらを組み合わせた材料のいずれかである
ことを特徴とする請求項１記載の弦楽器の音響特性改善方法。
【請求項３】
弦楽器は、端部に太部が設けられた弦、ボディ、ネックおよびヘッドを備えたギターで、
固定装置は、前記ボディに取り付けられた固定プレートで、
要素は、スリーブで、
この固定プレートに孔を設け、
この孔に前記スリーブを介して前記弦の太部を固定して、この弦の太部を前記スリーブに接触させ、かつこのスリーブによって前記固定プレートから前記弦を保護する
ことを特徴とする請求項１または２記載の弦楽器の音響特性改善方法。
【請求項４】
スリーブは、孔の全長に亘って延伸している
ことを特徴とする請求項３記載の弦楽器の音響特性改善方法。
【請求項５】
端部に太部が設けられた弦を有するギターの前記弦の太部を固定し第１の素材で構成されたギターの固定プレートであって、
前記弦が挿入されてこの弦の太部を固定し、弦を弾いた際に発生する可聴周波数域の音波に関する伝導性および吸収性が前記第１の素材より低い第２の素材にて構成されたスリーブと、
このスリーブおよび前記弦が挿入される孔とを具備し、
前記弦の太部は、前記スリーブに接触し、このスリーブにて前記孔から離間されて取り付けられている
ことを特徴とするギターの固定プレート。
【請求項６】
第１の素材は、金属で、
第２の素材は、セラミック材料、プラスチック材料、ガラス材料およびこれらを組み合わせた材料のいずれかである
ことを特徴とする請求項５記載のギターの固定プレート。
【請求項７】
スリーブは、孔の全長に沿って延伸している
ことを特徴とする請求項５または６記載のギターの固定プレート。
【請求項８】
複数の孔および複数のスリーブを具備し、
これら複数の孔のそれぞれには、前記スリーブが一つずつ取り付けられている
ことを特徴とする請求項５ないし７いずれか記載のギターの固定プレート。
【請求項９】
請求項５ないし８いずれか記載のギターの固定プレートを備えた
ことを特徴とするギター。
【手続補正２】
【補正対象書類名】明細書
【補正対象項目名】全文
【補正方法】変更
【補正の内容】
【発明の詳細な説明】
【発明の名称】弦楽器の音響特性改善方法、ギターの固定プレートおよびそれを備えたギター
【技術分野】
【０００１】
本発明は、弦楽器の弦の音響特性改善方法、ギターの弦の固定プレートおよびこの固定プレートを備えたギターに関する。
【背景技術】
【０００２】
弦が張られた弦楽器では、弦を弾くと予め決まった周波数の振動が発生し、この周波数に対応した音が発生する。この場合、張られている弦の両端は固定され、通常は各弦の一方の端部が調整不可能、またはごく僅かしか調整できない状態に固定されているのに対し、もう一方の端部は、ペグポストやその他の装置に巻き取られ、弦の長さや張力が調整できるようになっている。
【０００３】
ギター、特にエレキギターまたはエレキベースの全体は、ボディ、ネックおよびヘッドにて構成されている。楽器の音を生み出す弦は、ヘッドからネックを経てボディまでに亘って張られている。弦の一端は、楽器のボディに取り付けられた固定プレートに固定され、エレキギターでは、この固定プレートがいわゆるトレモロシステムブロックの場合が多い。弦は、固定プレートからボディに沿ってネックを経てヘッドまで延伸し、このヘッド部分でペグポストに巻き取られている。このペグポストを回すことによって弦を緩めたり締めたりでき、この操作にて調弦する。
【０００４】
通常、弦は、この弦の端部に設けられた太部、いわゆるボールエンドと、固定プレートに開口された孔の縁部とで固定プレートに固定されている。この弦は、固定プレートの孔を貫通し、この固定プレート上の方向転換器で方向が変えられて、ボディおよびネックを経てヘッドまで延伸している。
【０００５】
従来のギターまたはエレキベースでは、通常、固定プレートが金属製になっており、また一定の間隔で、弦の本数に対応した数の孔が開口され、これらの孔に弦の端部が固定されている。
【発明の開示】
【発明が解決しようとする課題】
【０００６】
この種の楽器を演奏する演奏家の間では、楽器の残響、特にいわゆるサステインを良くして欲しい、すなわち弦を弾いた際に得られる音が直ちに消失せず、むしろ極力長く残るようにして欲しいという要望が極めて強い。中価格帯または低価格帯の「通常」のギター、特にエレキギターやエレキベースでは、この残響効果が希望するほど得られないのが実情である。このため、特に趣味で演奏するホビーミュージシャンにとっては、残響を改善する特殊構造の極めて高額な楽器を購入することは容易ではなく、所有する楽器に所望の残響効果を求めることはできない。
【０００７】
同様に、ハープ、ピアノまたはその他の弦楽器においても残響を改善したいという要望が多いが、弦の振動は減衰するため十分な残響を得ることができないという問題を有している。
【０００８】
本発明は、上記問題点に鑑みなされたもので、弦楽器の音響特性を容易に改善できる弦楽器の音響特性改善方法、ギターの弦の音響特性を改善できるギターの固定プレート、およびこの固定プレートを備えたギターを提供することを目的とする。
【課題を解決するための手段】
【０００９】
請求項１記載の弦楽器の音響特性改善方法は、両端が固定されて張られた少なくとも一本の弦と、この少なくとも一本の弦の少なくとも一端を固定し第１の素材にて構成された固定装置とを具備した弦楽器の音響特性改善方法であって、前記固定装置と弦との間に、弦を弾いた際に発生する可聴周波数域の音波に関する伝導性および吸収性が前記第１の素材より低い第２の素材にて構成された要素を取り付けて、この要素で前記弦を被覆して、この弦を前記固定装置から離間するものである。
【００１０】
請求項２記載の弦楽器の音響特性改善方法は、請求項１記載の弦楽器の音響特性改善方法において、第１の素材は、金属で、第２の素材は、セラミック材料、プラスチック材料、ガラス材料およびこれらを組み合わせた材料のいずれかであるものである。
【００１１】
請求項３記載の弦楽器の音響特性改善方法は、請求項１または２記載の弦楽器の音響特性改善方法において、弦楽器は、端部に太部が設けられた弦、ボディ、ネックおよびヘッドを備えたギターで、固定装置は、前記ボディに取り付けられた固定プレートで、要素は、スリーブで、この固定プレートに孔を設け、この孔に前記スリーブを介して前記弦の太部を固定して、この弦の太部を前記スリーブに接触させ、かつこのスリーブによって前記固定プレートから前記弦を保護するものである。
【００１２】
請求項４記載の弦楽器の音響特性改善方法は、請求項３記載の弦楽器の音響特性改善方法において、スリーブは、孔の全長に亘って延伸しているものである。
【００１３】
請求項５記載のギターの固定プレートは、端部に太部が設けられた弦を有するギターの前記弦の太部を固定し第１の素材で構成されたギターの固定プレートであって、前記弦が挿入されてこの弦の太部を固定し、弦を弾いた際に発生する可聴周波数域の音波に関する伝導性および吸収性が前記第１の素材より低い第２の素材にて構成されたスリーブと、このスリーブおよび前記弦が挿入される孔とを具備し、前記弦の太部は、前記スリーブに接触し、このスリーブにて前記孔から離間されて取り付けられているものである。
【００１４】
請求項６記載のギターの固定プレートは、請求項５記載のギターの固定プレートにおいて、第１の素材は、金属で、第２の素材は、セラミック材料、プラスチック材料、ガラス材料およびこれらを組み合わせた材料のいずれかであるものである。
【００１５】
請求項７記載のギターの固定プレートは、請求項５または６記載のギターの固定プレートにおいて、スリーブは、孔の全長に沿って延伸しているものである。
【００１６】
請求項８記載のギターの固定プレートは、請求項５ないし７いずれか記載のギターの固定プレートにおいて、複数の孔および複数のスリーブを具備し、これら複数の孔のそれぞれには、前記スリーブが一つずつ取り付けられているものである。
【００１７】
請求項９記載のギターは、請求項５ないし８いずれか記載のギターの固定プレートを備えたものである。
【発明の効果】
【００１８】
請求項１記載の弦楽器の音響特性改善方法によれば、弦楽器の音響特性を改善できる。
【００１９】
請求項２記載の弦楽器の音響特性改善方法によれば、請求項１記載の弦楽器の音響特性改善方法の効果に加え、一層効果的である。
【００２０】
請求項３記載の弦楽器の音響特性改善方法によれば、請求項１または２記載の弦楽器の音響特性改善方法の効果に加え、ギターで使用できる。
【００２１】
請求項４記載の弦楽器の音響特性改善方法によれば、請求項３記載の弦楽器の音響特性改善方法の効果に加え、残響を改善でき、倍音の共振動を一層改善できる。
【００２２】
請求項５記載のギターの固定プレートによれば、弦楽器の音響特性を改善できる。
【００２３】
請求項６記載のギターの固定プレートによれば、請求項５記載のギターの固定プレートの効果に加え、一層効果的である。
【００２４】
請求項７記載のギターの固定プレートによれば、請求項５または６記載のギターの固定プレートの効果に加え、残響を改善でき、倍音の共振動を一層改善できる。
【００２５】
請求項８記載のギターの固定プレートによれば、請求項５ないし７いずれか記載のギターの固定プレートの効果に加え、演奏可能な全ての音の音響特性を改善できる。
【００２６】
請求項９記載のギターによれば、弦楽器の音響特性を改善したギターにできる。
【発明を実施するための最良の形態】
【００２７】
次に、本発明の弦楽器の固定プレートの一実施の形態を図面を参照しながら詳細に説明する。
【００２８】
ここで、固定プレートとしてトレモロシステムブロック５を装備したエレキギター１について説明する。
【００２９】
図１に示すように、１は弦楽器としてのエレキギターで、このエレキギター１は、ボディ２、ネック３およびヘッド４を備えている。このボディ２には、固定装置としての固定プレートである、いわゆるトレモロシステムブロック５が取り付けられている。このトレモロシステムブロック５には、エレキギター１の弦6a〜6fの一端が固定されている。これら各弦6a〜6fの他端は、エレキギター１のヘッド４に取り付けられたペグポスト７に巻き取られている。よって、これら弦6a〜6fは、両端が固定されてエレキギター１のネック３に沿って張られている。この場合に、このペグポスト７は、ペグ８を回すと回転し、この回転によって弦6a〜6fの張力が調整されて調弦できるように構成されている。
【００３０】
ここで、トレモロスステムブロック５は、例えば鋼などの金属である第１の素材にて構成されている。そして、このトレモロシステムブロック５には、貫通した孔９が複数設けられており、これら孔９のそれぞれに各弦6a〜6fがそれぞれ挿通されている。これら孔９は、図１の水平方向に対して直角な方向に開口しており、弦6a〜6fは、トレモロシステムブロック５に固定されている端部に対して９０度の角度が設けられている。
【００３１】
これら弦6a〜6fの曲げられて孔９に挿通された端部には、ボールエンドとしての太部10がそれぞれ設けられている。なお、従来のエレキギター１の場合、各弦6a〜6fは、太部10を経て、通常金属製であるトレモロシステムブロック５、厳密には孔９の縁部に直接固定されている。
【００３２】
これに対し、上記一実施の形態の弦6a〜6fの端部の鋼製のトレモロシステムブロック５の第１の素材と太部10との間の孔９内には、要素としてのスリーブ11がそれぞれ挿入されている。この場合、このスリーブ11は、例えばセラミック材料などの第２の素材にて構成されて製造されている。ここで、この第２の素材は、弦を弾いた際に発生する可聴周波数域の音波に関する伝導性および吸収性が、第１の素材の同じ周波数域の伝導性および吸収性より低い。また、この第２の素材は、プラスチック材料、ガラス材料、またはこれらを組み合わせた材料であってもよい。この構造にすることによって、弦6a〜6fの端部の太部10は、トレモロシステムブロック５の金属に直接接触せず、スリーブ11のセラミック材料と接触して、このスリーブ11で弦6a〜6fが被覆されて、この弦6a〜6fがトレモロシステムブロック５に接触せずに離間されて取り付けられて保護されている構造になる。これら弦6a〜6fにて生み出される音および音響の吸収性および伝導性は、スリーブ11のセラミック材料がトレモロシステムブロック５の金属より大幅に低い。このため、弾いた後も弦6a〜6fの振動が急激に減衰せず、長時間振動を続けるため、このトレモロシステムブロック５を取り付けていない同じ構造のエレキギター１に比べ、音響特性、特に残響が大幅に改善される。
【００３３】
図２に示すように、スリーブ11は、従来のエレキギター１の場合に、弦6a〜6fの端部にある太部10がトレモロシステムブロック５に接触しているが、上記一実施の形態の場合は、主にスリーブ11の素材にしか接触していない短いスリーブになっている。
【００３４】
上記一実施の形態によれば、トレモロシステムブロック５の第１の素材とは異なり、弦6a〜6fを弾いた際に発生する可聴周波数域の音波に関する伝導性や吸収性が第１の素材より低い第２の素材で構成されたスリーブ11で、エレキギター１の少なくとも一つの弦6a〜6fの一端を固定して、この弦6a〜6fとトレモロシステムブロック５との間にスリーブ11を取り付けることにより、この弦6a〜6fの残響が後振動でも大幅に長くなる。なお、このスリーブ11の用途や使用領域は、エレキギター１、その他のギター、エレキベースなどの同種の弦楽器だけに限定されず、弦楽器全般にも及ぶ。
【００３５】
ここで、弦楽器、例えばエレキギター１の残響を改善するには、通常トレモロシステムブロック５の第１の素材に直接接触する弦6a〜6fから、直接トレモロシステムブロック５の第１の素材に振動が伝わり、このトレモロシステムブロック５で振動が減衰するようにスリーブ11を取り付ける。このスリーブ11をトレモロシステムブロック５と弦6a〜6fとの間に設置することにより、トレモロシステムブロック５の第１の素材が有する弦6a〜6fの振動を受け止める性能や減衰特性が低下し、弦6a〜6fの振動が長くなる。さらに、このスリーブ11は、少なくともトレモロシステムブロック５の領域内であって、通常弦6a〜6fがトレモロシステムブロック５の第１の素材と接触しているところを、この弦6a〜6fがスリーブ11と接触した状態となっていることが極めて重要である。
【００３６】
このスリーブ11にて得られるさらに別の利点としては、倍音も一層明瞭に聞こえるようになり、また従来であれば減衰するため直ちに失われていた倍音が、エレキギター１の音響の中で共鳴するようになる。この結果、エレキギター１の音響全体がより濃密になり、エレキギター１の音響特性も一層改善される。
【００３７】
また、トレモロシステムブロック５と弦6a〜6fとの間に、セラミック材料、プラスチック材料、ガラス材料およびこれらを組み合わせた材料のいずれかの第２の素材で構成されたスリーブ11を取り付けることにより、一層効果的であることが分かる。
【００３８】
さらに、特にエレキギター１の場合に多いトレモロシステムブロック５にスリーブ11を取り付けることも可能である。
【００３９】
このトレモロシステムブロック５の孔９に挿入されているスリーブ11が、この孔９の全長に亘って延伸している場合は、弦6a〜6fがトレモロシステムブロック５の第１の素材に直接接触していないものの、音波が同じ方向に放出される領域で、このトレモロシステムブロック５の第１の素材の吸音性も抑えられるため残響が改善され、倍音の共振動も一層改善される。
【００４０】
エレキギター１で演奏可能な全ての音の音響特性を改善するため、可能であればトレモロシステムブロック５の各孔９内にスリーブ11を設置することが好ましい。
【００４１】
上述した音響特性改善方法によれば、第２の素材にて構成されたスリーブ11を既存のエレキギター１などの弦楽器に取り付けるか、不可能な場合は、トレモロシステムブロック５自体を交換することにより、既存の弦楽器、特にエレキギター１に後付けできる。これら２つの方法は、いずれも独自の構造とすることで、極めて優れた音響特性を発揮する高価なエレキギター１などの弦楽器を購入する場合に比べ、はるかに低コストで入手可能な方法である。
【００４２】
図３は、本発明の他の実施の形態である孔９およびスリーブ11の変形例を示している。この孔９は、図３の下部に示されているトレモロシステムブロック５の端部に開口されている。この構成にすることによって、太部10を確実に保持できる段部が形成されるため、トレモロシステムブロック５から太部10が突出しなくなる。さらに、このスリーブ11は、孔９の全長に沿って延伸する長さに形成されている。このため、弦6a〜6fを弾いた際に発生する音響の吸収が一層低減し、結果的に残響が改善され、またエレキギター１の可聴倍音の響きも向上する。
【００４３】
なお、図２および図３に示す各実施の形態のトレモロシステムブロック５は、これら図２および図３に示す形態に限定されず、多数の変形例や組み合わせが可能である。この場合に、少なくともトレモロシステムブロック５の第１の素材と、弦6a〜6fの端部にある太部10との間に、セラミック材料の第２の素材にて構成されたスリーブ11が挿入されている点が、特に重要である。
【図面の簡単な説明】
【００４４】
【図１】本発明の一実施の形態の固定プレートが取り付けられたエレキギターを示す概略図である。
【図２】図１中の線II−IIに沿った固定プレートの概略断面図である。
【図３】本発明の他の実施の形態の固定プレートを裏側から見た状態を示す断面図である。
【符号の説明】
【００４５】
１    弦楽器としてのギターであるエレキギター
２    ボディ
３    ネック
４    ヘッド
５    固定装置としての固定プレートであるトレモロシステムブロック
6a〜6f    弦
９    孔
10    太部
11    要素としてのスリーブ